(57)【要約】【課題】本発明は、簡単な構成により、筐体にキャスタを備えると共に、設置枠内への設置の際にキャスタを取り外したり収納させる必要がなく、さらに容易に設置枠内に固定できるようにした遊技機を提供する。【解決手段】筐体１２内に構成された遊技機本体１１と、この筐体の下面の四隅の領域に配置されたキャスタ１３と、を有している遊技機１０であって、上記各キャスタが、それぞれ筐体下面に設けられた凹陥部１２ａ内にて、弾性部材１３ｃにより下方に向かって付勢して支持されていると共に、下方から強く押圧されたとき、上記凹陥部内に収納可能であるように、遊技機１０を構成する。【選択図】        図２
2004290448.tif 000002
【特許請求の範囲】
【請求項１】
筐体を有する遊技機本体と、前記筐体の下面の四隅の領域に配置されたキャスタと、を有している遊技機であって、
各前記キャスタが、それぞれ前記筐体下面に設けられた凹陥部内にて、弾性部材により下方に向かって付勢して支持されていると共に、下方から強く押圧されたとき、前記凹陥部内に収納可能である
ことを特徴とする遊技機。
【請求項２】
前記弾性部材が、前記遊技機の重量に抗して、前記キャスタを前記筐体下面の前記凹陥部から下方に突出させるように、その張力が選定されている
ことを特徴とする請求項１記載の遊技機。
【請求項３】
前記筐体の上面に、弾性により上方に突出する固定部材を備えている
ことを特徴とする請求項１又は２記載の遊技機。
【請求項４】
前記固定部材が、前方に向かって斜めに立ち上がる係止爪を備えている
ことを特徴とする請求項３記載の遊技機。
【請求項５】
前記固定部材が、前記遊技機が設置枠内に挿入される際に、前記設置枠の内面が当接することにより、その弾性に基づいて前記筐体内に退避される
ことを特徴とする請求項３又は４記載の遊技機。
【発明の詳細な説明】
【０００１】
【発明の属する技術分野】
本発明は、例えばスロットマシン遊技機，パチンコ等の遊技機に関し、特に運搬および取付を容易にする技術に関する。
【０００２】
【従来の技術】
従来、例えばスロットマシン遊技機やパチンコ等の遊技機は、比較的大きな直方体状に構成されており、遊技ホール等に設置する場合には、外部から遊技ホール等内の設置場所まで運搬する必要がある。
【０００３】
ところで、一般に、遊技ホール内における通路は比較的狭いことから、遊技機を運搬するために大きな台車等を使用することができない。このため、遊技機を一台一台人手により運搬しなければならず、遊技機自体が比較的大型で重いことから、運搬が容易ではなかった。
さらに、近年、遊技機の電子化に伴って、その重量が増大する傾向にあり、その運搬がより一層労力を要するようになってきている。
【０００４】
これに対して、遊技機の筐体にキャスタを取り付けることにより、その運搬を容易にした遊技機が開示・提案されている（例えば、特許文献１参照。）。
この遊技機によれば、運搬時には、キャスタを利用して、遊技機を容易に運搬することができるようになっている。
【０００５】
【特許文献１】
特開平１０−２９５９０６号
【０００６】
【発明が解決しようとする課題】
しかしながら、このような遊技機においては、キャスタの少なくとも一部が遊技機の筐体から突出することになり、設置枠内に設置する際に、キャスタを取り付けたままでは設置することができない。
このため、設置すべき設置枠の前まで遊技機を運搬した後、キャスタを遊技機から取り外してから、遊技機を設置枠内に設置する必要がある。
したがって、運搬時に遊技機の下側に位置するキャスタを取り外すために、遊技機を傾斜させる等により、遊技機筐体のキャスタ取付面を露出させる必要があり、作業が煩雑となってしまう。
【０００７】
これに対して、上記従来技術においては、キャスタを収納可能にした実施例を記載されているが、キャスタを収納するためには、キャスタの回転軸を筐体内に挿脱するための駆動機構が必要であり、構造が複雑となり、コストが高くなってしまう。
また、遊技機を設置枠内に設置する際には、同様に設置すべき設置枠の前まで遊技機を運搬した後、キャスタを遊技機の筐体内に収納してから、遊技機を設置枠内に設置する必要があり、作業が煩雑である。
【０００８】
さらに、このような遊技機は、設置枠内に挿入した後、設置枠内に固定する必要があり、遊技機の運搬から設置枠内への挿入・固定までの一連の作業に時間がかかり、例えば遊技ホール内の全遊技機を入れ換えるような場合、長時間かかってしまうことになる。
【０００９】
本発明は、上記の問題を解決すべくなされたものであり、簡単な構成により、筐体にキャスタを備えると共に、設置枠内への設置の際にキャスタを取り外したり収納させる必要がなく、さらに容易に設置枠内に固定できるようにした遊技機の提供を目的とする。
【００１０】
この目的を達成するため、本発明の請求項１記載の遊技機は、筐体を有する遊技機本体と、この筐体の下面の四隅の領域に配置されたキャスタと、を有している遊技機であって、各キャスタが、それぞれ筐体下面に設けられた凹陥部内にて、弾性部材により下方に向かって付勢して支持されていると共に、下方から強く押圧されたとき、凹陥部内に収納可能である構成としてある。
【００１１】
遊技機をこのような構成とすると、遊技機は、その筐体の下面からキャスタが弾性部材の張力によって下方に突出していることにより、キャスタが遊技機の重量を支持すると共に、キャスタの転動により、台車等を使用しなくても、容易に運搬することができる。
そして、遊技機が設置すべき設置枠の前まで運搬されたとき、遊技機が僅かに持ち上げられ、設置枠に整合され、設置枠内に押し込まれる。
これにより、設置枠の下縁が相対的にキャスタを下方から上方に向かって押動することになり、キャスタが弾性部材の張力に抗して凹陥部内に収納されることになる。
【００１２】
したがって、遊技機を設置枠内に設置する場合、設置枠の前で、キャスタを取り外したり、キャスタを収納するための作業が不要であり、遊技機を設置枠内に押し込むだけの作業で、キャスタが自動的に収納されることになる。これにより、遊技機の設置作業が単純化されるので、多数の遊技機が遊技ホール内に設置される場合でも、設置に要する時間が短縮され得ることになる。
【００１３】
また、請求項２記載の遊技機は、弾性部材が、遊技機の重量に抗して、キャスタを筐体下面の凹陥部から下方に突出させるように、その張力が選定されている構成としてある。
遊技機をこのような構成とすると、遊技機が運搬のために例えば床面に置かれた状態で、キャスタが遊技機の重量に抗して弾性部材の張力によって下方に突出していることにより、キャスタが遊技機の重量により凹陥部内に収納されてしまうようなことがなく、遊技機がキャスタにより確実に支持されることになる。
【００１４】
また、請求項３記載の遊技機は、筐体の上面に、弾性により上方に突出する固定部材を備えている構成としてある。
遊技機をこのような構成とすると、遊技機が設置枠内に押し込まれたとき、固定部材がその弾性に基づいて上方に突出して、設置枠の内側の上面を押圧することにより、遊技機を設置枠内に固定保持することができる。
【００１５】
また、請求項４記載の遊技機は、固定部材が、前方に向かって斜めに立ち上がる係止爪を備えている構成としてある。
遊技機をこのような構成とすると、遊技機が設置枠内に押し込まれて、固定部材がその弾性に基づいて設置枠の内側の上面を押圧したとき、係止爪が設置枠の内側の上面に当接することにより、遊技機の設置枠から前方への移動を阻止することになり、遊技機を設置枠内に確実に固定保持することができる。
【００１６】
また、請求項５記載の遊技機は、固定部材が、遊技機が設置枠内に挿入される際に、設置枠の内面が当接することにより、その弾性に基づいて筐体内に退避される構成としてある。
遊技機をこのような構成とすると、遊技機が設置枠内に押し込まれる際に、固定部材が筐体内に退避することにより、固定枠が遊技機の設置枠内への挿入を妨げることがない。
【００１７】
このようにして、本発明によれば、遊技機は、その筐体の下面からキャスタが突出しているので、容易に運搬することができると共に、遊技機が設置枠内に押し込まれるときには、キャスタが設置枠の下縁により弾性部材の張力に抗して凹陥部内に収納されるので、キャスタを取り外したり、キャスタを収納する必要がなく、遊技機を設置枠内に押し込むだけの作業で、キャスタが自動的に収納される。
【００１８】
さらに、遊技機が設置枠内に設置された状態にて、固定部材がその弾性に基づいて設置枠の内側の上面を押圧し、係止爪が当接することにより、遊技機が設置枠内に固定保持されることになる。したがって、遊技機を設置枠内に挿入した後の固定作業が不要となる。
したがって、遊技機の運搬および設置の作業が単純化されるので、多数の遊技機が遊技ホール内に設置される場合でも、設置に要する時間が短縮され得ることになる。
【００１９】
【発明の実施の形態】
以下、本発明にかかる遊技機の実施の形態について、図１〜図７を参照して説明する。
図１は、本発明による遊技機の一実施形態の構成を示している。
なお、本発明は、スロットマシン遊技機やパチンコなど各種遊技機に適用可能であるが、ここでは、スロットマシン遊技機を例に挙げて説明する。
【００２０】
図１に示すように、遊技機１０は、スロットマシン遊技機であって、遊技機本体１１を収容する筐体１２と、筐体１２の下面に設けられたキャスタ１３と、筐体１２の上面に設けられた固定部材１４と、を有している。
遊技機本体１１は、公知の構成であって、少なくとも上下左右の面が筐体１２により包囲されている。
【００２１】
キャスタ１３は、図２に示すように、筐体１２の下面にて、四隅の領域に、すなわち左右両側にて前後に配置されている。
各キャスタ１３は、図３に示すように、筐体１２の下面の四隅の領域に設けられた凹陥部１２ａ部内にて、それぞれほぼ球状のボール１３ａと、このボール１３ａを支持する支持部１３ｂと、支持部１３ｂを下方に向かって付勢する弾性部材１３ｃと、から構成されている。
【００２２】
ボール１３ａは、支持部１３ｂに対して図示しない適宜の手段により回転可能に支持されている。
支持部１３ｂは、ボール１３ａとの組み合わせにより、例えば、テフロン（登録商標）コーティングした低摩擦係数材からできていて弾性部材１３ｃの下端に取り付けられており、弾性部材１３ｃの伸縮に応じて、外れることなく上記凹陥部１２ａ内で進退可能に支持されている。
【００２３】
弾性部材１３ｃは、その上端が凹陥部１２ａの上端に取り付けられており、その弾性に基づいて支持部１３ｂそしてボール１３ａを下方に向かって付勢する。ここで、この弾性部材１３ｃは、その張力が、遊技機１０の重量に抗して、キャスタ１３すなわちボール１３ａを凹陥部１２ａ内から筐体１２の下面を越えて下方に突出させるように、選定されている。
【００２４】
固定部材１４は、図２および図４に示すように、筐体１２の上面にて、左右両側に配置されている。
各固定部材１４は、図５および図６に示すように、筐体１２の上面に設けられた取付孔１２ｂに関して、筐体１２の上面の内面にて取付孔１２ｂの後方に取り付けられる取付部１４ａと、取付部１４ａから前方に向かって上方に斜めに延びる伸長部１４ｂと、伸長部１４ｂの先端付近にて、筐体１２の上面から上方に僅かに突出する固定部１４ｃと、固定部１４ｃの先端から下方に延びる折曲げ部１４ｄと、から構成されている。
【００２５】
ここで、固定部１４ｃは、図５に詳細に示すように、前方に向かって斜め上方に立ち上がる複数個の係止爪１４ｅを備えている。
また、比較的厚さ寸法の小さいパチンコ遊技機１０の場合は、取付部材１４が上部のみでは傾いてパチンコ遊技機１０を引き出してしまう恐れがあるので、固定部材１４を下側側面や下面にも設けることが好ましい（この構成については、図示せず）。
なお、折曲げ部１４ｄは、図５に示すように、丸孔１４ｆを備えている。
【００２６】
次に、本実施形態の遊技機１０における設置作業について説明する。
遊技機１０は、例えば運搬車から荷卸した状態では、図１および図２に示すように、キャスタ１３のボール１３ａが弾性部材１３ｃの張力に基づいて筐体１２の下面から下方に突出した状態にある。したがって、遊技機１０は、その重量がキャスタ１３により支持されており、遊技機１０を押したり引いたりすることにより、キャスタ１３のボール１３ａを転動させて、遊技機１０を容易に運搬することができる。
【００２７】
そして、当該遊技機１０を設置すべき設置枠の前まで遊技機１０が移動されると、遊技機１０は、図７（Ａ）に示すように、そのまま僅かに持ち上げられた状態で、設置枠２０に整合され、矢印Ａで示すように、設置枠２０内に押し込まれる。
その際、図７（Ｂ）に示すように、遊技機１０の筐体１２の下面から突出するキャスタ１３のボール１３ａは、設置枠２０の下縁２１により上方に向かって押動されることになり、弾性部材１３ｃの張力に抗して、凹陥部１２ａ内に収納される。これにより、遊技機１０は、設置枠２０内に円滑に押し込まれることになる。
【００２８】
他方、図７（Ｃ）に示すように、遊技機１０の筐体１２の上面から突出する取付部材１４は、前方に向かって斜め上方に傾斜する伸長部１４ｂの斜面に対して、設置枠２０の上縁が当接することにより、取付部材１４の伸長部１４ｂ，固定部１４ｃおよび折曲げ部１４ｄが下方に退避することにより、遊技機１０が設置枠２０内に容易に押し込まれる。
このとき、固定部１４ｃから上方に突出する係止爪１４ｅは、前方に向かって斜めに立ち上がっているので、係止爪１４ｅは、設置枠２０の上縁２２により円滑に退避することになる。
【００２９】
そして、遊技機１０が設置枠２０内に完全に押し込まれると、固定部１４ｃが、固定部材１４の伸長部１４ｂにおける弾性に基づいて、設置枠２０の内側の上面に対して当接し、係止爪１４ｅが設置枠２０の内側の上面に係止され、遊技機１０の前方への移動を阻止することになる。
【００３０】
このようにして、本発明実施形態による遊技機１０は、運搬時には、筐体１２の下面から突出するキャスタ１３により容易に運搬され得ると共に、設置枠２０内への設置時には、キャスタ１３が設置枠２０の下縁２１により自動的に凹陥部１２ａ内に収納されることから、キャスタ１３の取り外しや収納の作業を行なうことなく、遊技機１０を設置枠２０内に押し込むことができる。
さらに、遊技機１０が設置枠２０内に完全に押し込まれると、固定部材１４の固定部１４ｃが設置枠２０の内側の上面に当接すると共に、その係止爪１４ｅが設置枠２０の内側の上面に係止されるので、遊技機１０が容易に設置枠２０内に固定保持されることになる。
【００３１】
尚、遊技機１０が修理，交換等のために設置枠２０から取り外される場合には、遊技機１０の前面扉を開放して、筐体１２の内側から、固定部材１４の折曲げ部１４ｄの丸孔１４ｆに指をかけて下方に引っ張ることにより、設置枠２０の内側の上面に対する固定部材１４の固定部１４ｃの当接と係止爪１４ｅの係止を解除することができる。そして、この状態から遊技機１０を設置枠２０から前方に引き出すことにより、遊技機１０は容易に設置枠２０から取り外され得る。
【００３２】
上述した実施形態においては、キャスタ１３は、遊技機１０の筐体１２の下面の四隅の領域にそれぞれ配置されているが、これに限らず、運搬時に遊技機１０の重量を支持して、容易に運搬できれば、任意の個数のキャスタ１３を任意の位置に配置することが可能である。さらに、運搬時に遊技機１０が正立した状態で運搬されず、他の姿勢で運搬される場合には、運搬時に下面となる筐体１２の表面にキャスタ１３を配置すればよい。
【００３３】
また、上述した実施形態においては、固定部材１４は、遊技機１０の筐体１２の上面の左右両側に配置されているが、遊技機１０を設置枠２０に対して確実に固定できれば、任意の個数の固定部材１４を任意の位置に配置することが可能である。例えば、固定部材１４は、筐体１２の両側面に配置されていてもよい。
さらに、上述した実施形態においては、スロットマシン遊技機１０について説明したが、これに限らず、他の遊技機、例えばパチンコ等の種々の遊技機に対して本発明を適用し得ることは明らかである。
【００３４】
【発明の効果】
以上のように、本発明によれば、遊技機は、その筐体の下面からキャスタが突出しているので、容易に運搬することができると共に、遊技機が設置枠内に押し込まれるときには、キャスタが設置枠の下縁により弾性部材の張力に抗して凹陥部内に収納されるので、キャスタを取り外したり、キャスタを収納する必要がなく、遊技機を設置枠内に押し込むだけの作業で、キャスタが自動的に収納される。
【００３５】
さらに、遊技機が設置枠内に設置された状態にて、固定部材がその弾性に基づいて設置枠の内側の上面を押圧し、係止爪が当接することにより、遊技機が設置枠内に固定保持されることになる。したがって、遊技機を設置枠内に挿入した後の固定作業が不要となる。
したがって、遊技機の運搬および設置の作業が単純化されるので、多数の遊技機が遊技ホール内に設置される場合でも、設置に要する時間が短縮され得ることになる。
【００３６】
このようにして、本発明によれば、簡単な構成により、筐体にキャスタを備えると共に、設置枠内への設置の際にキャスタを取り外したり収納させる必要がなく、さらに容易に設置枠内に固定できるようにした、極めて優れた遊技機を提供することができる。
【図面の簡単な説明】
【図１】本発明による遊技機の一実施形態の構成を示す概略斜視図である。
【図２】図１の遊技機におけるキャスタおよび固定部材を示す概略側面図である。
【図３】図２のキャスタの拡大断面図である。
【図４】図１の遊技機における固定部材の配置を示す筐体の概略平面図である。
【図５】図４の固定部材の拡大断面図である。
【図６】図４の固定部材の拡大斜視図である。
【図７】図１の遊技機の設置枠への設置作業を順次に示す概略側面図である。
【符号の説明】
１０  遊技機
１１  遊技機本体
１２  筐体
１２ａ  凹陥部
１２ｂ  取付孔
１３  キャスタ
１３ａ  ボール
１３ｂ  支持部
１３ｃ  弾性部材
１４    固定部材
１４ａ  取付部
１４ｂ  伸長部
１４ｃ  固定部
１４ｄ  折曲げ部
１４ｅ  係止爪
１４ｆ  丸孔
２０  設置枠
２１  下縁
２２  上縁
【図１】
2004290448.tif 000003
【図２】
2004290448.tif 000004
【図３】
2004290448.tif 000005
【図４】
2004290448.tif 000006
【図５】
2004290448.tif 000007
【図６】
2004290448.tif 000008
【図７】
2004290448.tif 000009